(57)【要約】      （修正有）【課題】電源ケーブル、充電池、乾電池を介して枕元灯への電力の供給が行えない場合の暗い室内等においても、枕元灯の設置場所及び枕元灯に備わった小物入れの内部を視認できる枕元灯を提供する。【解決手段】枕元灯１は、透光性を有する第１層２及び第２層３、蓄光材を塗布したシート等を貼付などした発光板４を保持し、また、底蓋５から枕元灯内部へ向かって光を発する発光板を保持する小物入れの機能を備えた枕元灯であり、発光板の蓄光材が、夜間の消灯後の暗い室内等において、自然光や照明器具から蓄光した光を発光して、枕元灯の設置場所及び枕元灯に備わった小物入れの内部の視認性を確保する。【選択図】図１
0003234510.tif 000002
【実用新案登録請求の範囲】
【請求項１】
透光性を有する第２層、透光性を有する第１層及の背面側から枕元灯の外側へ向けて光を発する発光板を保持し、また、底蓋から枕元灯内部へ向かって光を発する発光板を保持する小物入れの機能を備えた枕元灯であり、前記発光板が、電力の供給を必要とせずに、自然光や照明器具からの光を蓄光材に蓄光して、夜間の消灯後の暗い室内等で蓄光材が発光して、枕元灯の設置場所及び小物入れの内部が視認できる枕元灯。
【考案の詳細な説明】
【技術分野】
【０００１】
本考案は、電力の供給を必要としない発光板の発光により照明を確保する小物入れの機能を備えた枕元灯に関するものである。
【背景技術】
【０００２】
従来から、枕元灯に対しては電源ケーブル、充電池、乾電池を介して電力が供給されており、電力の供給がない場合には枕元灯を点灯させることができず、枕元の小物入れの置場所が確認できない。このため、枕元灯への電力の供給がない場合の暗い室内等においても小物入れの置き場所を確認できる枕元灯の開発が望まれている。
【０００３】
特許文献１には、光ファイバ利用型の照明装置における光源ランプに不点灯状態が生じない技術が開示されており、特許文献２には、枕元灯におけるアーム部分や灯具の損傷防止、または、塵埃防止の技術が開示されている。
【先行技術文献】
【特許文献】
【０００４】
【特許文献１】特開２０００−０３０５０４
【特許文献２】実全昭６２−０１２３２６
【考案の概要】
【考案が解決しようとする課題】
【０００５】
特許文献１には、光ファイバ利用型の照明装置における光源ランプに不点灯状態が生じない技術が開示されており、特許文献２には、枕元灯におけるアーム部分や灯具の損傷防止、または、塵埃防止の技術が開示されている。
【０００６】
一方、枕元灯への電力の供給は電源ケーブルを介して電力が供給されており、電力の供給がない場合には、枕元灯を発光させることができず、夜間又は照明器具の消灯後の暗い室内等において、枕元に置いた小物入れを確認するために、電力の供給を必要としないで発光させることのできる枕元灯の開発が望まれている。
【０００７】
本考案は、このような事情に鑑みてなされたものであって、電力の供給を必要としない発光板の発光により照明を確保する小物入れの機能を備えた枕元灯を提供することを目的とする。
【課題を解決するための手段】
【０００８】
上記課題を解決するために、本考案の枕元灯は以下の手段を採用する。
【０００９】
本考案の一態様に係る枕元灯は、透光性を有する円筒の一方に底蓋を備え、この円筒の内部に発光板を備える。
【００１０】
上記「枕元灯」には、以下に例示するように、種々の技術的限定を加えてもよい。
【００１１】
前記発光板は、アクリル板等に蓄光材を塗布して用いたり、蓄光材があらかじめ塗布されている蓄光シートを用いたりするものとする。前記発光板は、面状に光を発する。
【００１２】
枕元灯を鑑賞対象物とするために、前記円筒と前記発光板との間には、透光性を有する和紙等の層を備える。
【００１３】
前記円筒内に入れた小物等の視認性を高めるために、前記底蓋に円筒の内部に向けて発光するように前記発光板を設ける。
【考案の効果】
【００１４】
本考案によれば、自然光や室内の照明器具からの光を蓄えた前記発光板の蓄光材が、夜間又は照明器具の消灯後の暗い室内等において、一定の時間光を発して一定の時間照明の確保を可能にすることにより、小物入れを一定の時間確認できるという効果を有する。
【図面の簡単な説明】
【００１５】
【図１】本考案の実施形態に係る枕元灯の斜視図である。
【図２】本考案の実施形態に係る枕元灯の縦断面図である。
【図３】本考案の実施形態に係る発光板の縦断面図である。
【図４】本考案の実施形態に係る底蓋の縦断面図である。
【考案を実施するための形態】
【００１６】
以下に、本考案に係る枕元灯の一実施形態について、図面を参照して説明する。
【００１７】
[１．枕元灯の構成]
図１は本実施形態に係る枕元灯1の斜視図であり、図２は枕元灯1の縦断面図である。図３は枕元灯１の備えた発光板４の断面図である。図４は底蓋５の断面図である。本実施形態は、一例として円筒形の容器であり、枕元灯１の大きさ（直径及び縦の長さ等）は特に限定されない。さらに、枕元灯１は、スタンド等を取り付けず、または取り付けて家具等の上面に設置されてもよいし、室内の壁に掛けられてもよい。
【００１８】
枕元灯１は、その表面側から、第１層２、第２層３、発光板４のほか、底蓋５が備えられる。
【００１９】
第１層２は透光性を有していればよく、例えば、アクリル材又はガラス等の透明な材料によって形成される。
【００２０】
第２層３は、一例として、透光性のある和紙等の材料で形成する。第２層３は、和紙の他にも、切り絵やステンドグラス等の光を透過し易いものとする。なお、第２層３は、備えていなくてもよい。
【００２１】
発光板４は、第２層３、第１層２の背後から、第２層３、第１層２へ向かって面状に光を発するものである。発光板４は、一例として、アクリル板等に蓄光材４Ａを塗布して用いたり、蓄光材４Ａがあらかじめ塗布されている蓄光シートを用いたりして製作される。
【００２２】
また、本実施形態に係る発光板４は、一例として、蓄光材４Ａの緑色の光を発するが、これに限らず、他の色の蓄光材４Ａにより発せられる光の色でもよい。なお、発光板４の蓄光材４Ａは、長時間にわたり発光することが望ましい。
【００２３】
[２．立体的な枕元灯の構成]
図１は、第１層２、第２層３、発光板４及び底蓋５を保持した場合の斜視図である。
【００２４】
第１層２に対する第２層３、発光板４の固定、及び、底蓋５に対する発光板４の固定は、接着剤によって行われてもよいし、その他の方法よって行われてもよく限定されない。
【００２５】
以上説明したように、本実施形態に係る小物入れの機能を備えた枕元灯１は、自然光や室内の照明器具からの光を照明器具１の内部に備えた発光板４に蓄光しておいて、夜間の消灯後の暗い室内等において、枕元灯１に電力を供給することなく発光して、枕元灯の設置場所及び小物入れの内部を視認することができる。
【００２６】
[３．他の実施形態]
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、当該変更または改良を加えた形態も本考案の技術的範囲に含まれる。
【００２７】
例えば、上記の実施形態では、枕元灯１を円筒に底蓋５を備える形態について説明したが、本考案は、これに限定されるものではなく、枕元灯１は、例えば、三角柱や直方体でもよいし、皿形などの器の形態としてよく、また、上蓋を備えて上蓋を閉塞できる小物入れとしてもよい。
【００２８】
また、上記実施形態では、発光板４が第１層２、第２層３の全体に光を照らす形態、及び発光板４を底蓋５に設けて円筒内部に光を照らす形態について説明したが、本考案は、これに限定されるものではなく、発光板４が第１層２、第２層３及び円筒内部の一部に光を照らす形態としてもよいし、枕元灯１を壁に掛けて利用する場合には、底蓋５に設ける発光板４は、底蓋５の両面に設けて、円筒底部から円筒外部にも光を照らす形態としてもよい。
【符号の説明】
【００２９】
１    枕元灯（全体）
２    第１層（アクリル材又はガラス等の透明な材料により形成）
３    第２層（透光性のある和紙等の材料により形成）
４    発光板（蓄光材料が塗布されたシート等により形成）
４Ａ  蓄光材  
５    底蓋
【図１】
0003234510.tif 000003
【図２】
0003234510.tif 000004
【図３】
0003234510.tif 000005
【図４】
0003234510.tif 000006